【手続補正書】
【提出日】平成19年3月1日(2007.3.1)
【手続補正１】
【補正対象書類名】特許請求の範囲
【補正対象項目名】全文
【補正方法】変更
【補正の内容】
【特許請求の範囲】
【請求項１】
コンピュータ・システム内で、第一当事者と第二当事者との間に電子的に契約を発効させるための方法であって、
前記コンピュータ・システムは中央処理装置と、入出力インターフェイスと、記憶装置とを備え、
前記入出力インターフェイスを介して前記第二当事者から契約情報を取得するステップと、
前記契約情報と予め前記記憶装置に記憶されている契約情報とに基づいて、前記中央処理装置が契約をドラフトするステップと、
前記入出力インターフェイスを介して前記第一当事者と前記第二当事者に、前記契約の合意を要求するステップと、
前記第一当事者と前記第二当事者によって前記契約が合意されたことに応答して、前記入出力インターフェイスを介して前記第二当事者と前記第一当事者に、前記契約の発効を要求するステップと、
前記第二当事者と前記第一当事者によって前記契約が発効されたことに応答して、前記中央処理装置が前記契約の最終イメージを生成するステップとを含む方法。
【請求項２】
前記第一当事者に前記契約の合意を要求する前記ステップが、電子的な合意通知を前記第一当事者に伝送するステップを含み、前記電子的な合意通知は、前記コンピュータ・システムへのリンクを含む、請求項１に記載の方法。
【請求項３】
前記入出力インターフェイスを介して前記第一当事者からログイン情報を受信するステップと、
前記ログイン情報を前記中央処理装置が認証するステップと、
前記ログイン情報が認証されたことに応答して、前記入出力インターフェイスを介して前記第一当事者に前記契約へのアクセスを提供するステップと、
前記入出力インターフェイスを介して前記第一当事者から合意決定を受信するステップとをさらに含む、請求項２に記載の方法。
【請求項４】
前記第二当事者に前記契約の合意を要求する前記ステップが、前記第一当事者による合意の後で、電子的な合意通知を前記第二当事者に伝送するステップを含み、前記電子的な合意通知は、前記コンピュータ・システムへのリンクを含む、請求項１に記載の方法。
【請求項５】
前記入出力インターフェイスを介して前記第二当事者からログイン情報を受信するステップと、
前記ログイン情報を前記中央処理装置が認証するステップと、
前記ログイン情報が認証されたことに応答して、前記入出力インターフェイスを介して前記第二当事者に前記契約へのアクセスを提供するステップと、
前記入出力インターフェイスを介して前記受取側当事者から合意決定を受信するステップとをさらに含む、請求項４に記載の方法。
【請求項６】
前記第一当事者に前記契約の発効を要求する前記ステップが、電子的な発効通知を前記第一当事者に伝送するステップを含み、前記電子的な発効通知は、前記コンピュータ・システムへのリンクを含む、請求項１に記載の方法。
【請求項７】
前記入出力インターフェイスを介して前記第一当事者からログイン情報を受信するステップと、
前記ログイン情報を前記中央処理装置が認証するステップと、
前記ログイン情報が認証されたことに応答して、前記入出力インターフェイスを介して前記第一当事者に前記契約へのアクセスを提供するステップと、
前記入出力インターフェイスを介して前記第一当事者から発効決定を受信するステップとをさらに含む、請求項６に記載の方法。
【請求項８】
前記第二当事者に前記契約の発効を要求する前記ステップが、電子的な発効通知を前記第二当事者に伝送するステップを含み、前記電子的な発効通知は、前記コンピュータ・システムへのリンクを含む、請求項１に記載の方法。
【請求項９】
前記入出力インターフェイスを介して前記第二当事者からログイン情報を受信するステップと、
前記ログイン情報を前記中央処理装置が認証するステップと、
前記ログイン情報が認証されたことに応答して、前記入出力インターフェイスを介して前記第二当事者に前記契約へのアクセスを提供するステップと、
前記入出力インターフェイスを介して前記第二当事者から発効決定を受信するステップとをさらに含む、請求項８に記載の方法。
【請求項１０】
前記入出力インターフェイスを介して前記第一当事者と前記第二当事者によってとられたすべての行為を、時刻、日付、およびＩＰアドレスに従って前記記憶装置内で追跡するステップをさらに含む、請求項１に記載の方法。
【請求項１１】
前記コンピュータ・システムは、暗号を用いて安全が保護される、請求項１に記載の方法。
【請求項１２】
前記取得ステップに先立って、前記第二当事者を登録するステップをさらに含み、前記登録ステップが、
前記入出力インターフェイスを介して前記第二当事者のプロフィール情報を取得するステップと、
前記入出力インターフェイスを介して前記コンピュータ・システムに対応するＵＲＬを前記第二当事者に伝送するステップと、
前記ＵＲＬが選択されたことに応答して、前記入出力インターフェイスを介して前記第二当事者にログイン情報を提供するステップとを含む、請求項１に記載の方法。
【請求項１３】
前記契約のステータスが、前記契約がドラフトされたことに応答して「提起済（Submitted）」と示され、前記第一当事者による合意に応答して「新規（New）」と示され、前記第二当事者による合意に応答して「署名可（Readyto Sign）」と示され、前記第二当事者による発効に応答して「署名済（Signed）」と示され、前記第一当事者による発効に応答して「連署済（Countersigned）」と示され、前記最終イメージの生成に応答して「完了（Complete）」と示される、請求項１に記載の方法。
【請求項１４】
前記第二当事者による前記契約の合意が得られなかったことに応答して、前記第二当事者から前記入出力インターフェイスを介して問題点リストを受信するステップをさらに含む、請求項１に記載の方法。
【請求項１５】
前記第二当事者による前記契約の合意が得られたことに応答して、前記第二当事者による前記入出力インターフェイスを介してのコメント入力を拒絶するステップをさらに含む、請求項１に記載の方法。
【請求項１６】
第一当事者と第二当事者との間に電子的に契約を発効させるための中央処理装置と、入出力インターフェイスと、記憶装置とを備えるコンピュータ・システムであって、
前記入出力インターフェイスを介して前記第二当事者から取得した契約情報と前記記憶装置に記憶されている契約情報とに基づいて、前記中央処理装置が契約をドラフトするための契約ドラフトシステムと、
前記入出力インターフェイスを介して前記第一当事者と前記第二当事者に、前記契約についての合意を要求し、それを受信するための契約合意システムと、
前記第一当事者と前記第二当事者によって前記契約が合意されたことに応答して、前記入出力インターフェイスを介して前記第二当事者と前記第一当事者に、前記契約についての発効決定を要求し、それを受信するための契約発効システムと、
前記第二当事者と前記第一当事者によって前記契約が発効された後、前記コンピュータ・システム内で、前記契約の最終イメージを生成するためのイメージ生成システムとを含むシステム。
【請求項１７】
前記入出力インターフェイスを介して前記第二当事者のプロフィール情報を取得し、前記コンピュータ・システムに対応するＵＲＬを前記第二当事者に伝送するための登録システムをさらに含む、請求項１６に記載のシステム。
【請求項１８】
前記登録システムがさらに、前記プロフィール情報に基づいて前記第二当事者の信用をチェックする、請求項１７に記載のシステム。
【請求項１９】
前記契約合意システムが、前記第一当事者と前記第二当事者に別個の電子的な合意通知を伝送し、前記合意通知がそれぞれ、前記コンピュータ・システムへのリンクを含む、請求項１６に記載のシステム。
【請求項２０】
前記契約発効システムが、前記第一当事者と前記第二当事者に別個の電子的な発効通知を伝送し、前記発効通知がそれぞれ、前記コンピュータ・システムへのリンクを含む、請求項１６に記載のシステム。
【請求項２１】
前記契約のステータスを維持するためのステータス・システムをさらに含み、前記契約のステータスは、前記契約が生成されたことに応答して「提起済」と示され、前記第一当事者による合意に応答して「新規」と示され、前記第二当事者による合意に応答して「署名可」と示され、前記第二当事者による発効に応答して「署名済」と示され、前記第一当事者による発効に応答して「連署済」と示され、前記最終イメージの生成に応答して「完了」と示される、請求項１６に記載のシステム。
【請求項２２】
実行されることによりコンピュータ・システムを第一当事者と第二当事者との間に電子的に契約を発効させるためのシステムとして機能させる、コンピュータ・プログラムであって、
前記コンピュータ・システムは中央処理装置と、入出力インターフェイスと、記憶装置とを備え、
前記入出力インターフェイスを介して第二当事者から取得した契約情報と前記記憶装置に予め記憶されている契約情報とに基づいて、前記中央処理装置が契約をドラフトするためのプログラム・コードと、
前記第一当事者と前記第二当事者に、前記入出力インターフェイスを介して前記契約についての合意決定を要求し、それを受信するためのプログラム・コードと、
前記第一当事者と前記第二当事者によって前記契約が合意されたことに応答して、前記第二当事者と前記第一当事者に、前記入出力インターフェイスを介して前記契約についての発効決定を要求し、それを受信するためのプログラム・コードと、
前記第二当事者と前記第一当事者によって前記契約が発効されたことに応答して、前記中央処理装置が前記契約の最終イメージを生成するためのプログラム・コードとを含むコンピュータ・プログラム。